(57)【特許請求の範囲】
【請求項１】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号と上記間引き走査駆動信号とを切り換えるための駆動信号切換手段とを有し、
上記表示装置は、
上記ブロック又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項２】
上記メモリ手段は、上記ブロック走査駆動信号により走査され上記固体撮像素子より出力された画像情報を記憶するブロックメモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項１に記載の撮像表示システム。
【請求項３】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素を走査するための全画素走査駆動信号を発生する全画素走査駆動信号発生手段と、
上記ブロック走査駆動信号と上記全画素走査駆動信号とを切り換えるための駆動信号切換手段とを有し、
上記表示装置は、
上記ブロック又は全画素走査駆動信号により走査され上記固体撮像素子より出力された画像情報を記憶するメモリ手段と、
上記メモリ手段に記憶された画像情報に対応する画像を表示するための表示手段とを有し、
上記メモリ手段は、上記ブロック走査駆動信号により走査され上記固体撮像素子より出力された画像情報を記憶するブロックメモリ手段と、上記全画素走査駆動信号により走査され上記固体撮像素子より出力された画像情報を記憶する全画素メモリ手段とを備えてなり、上記表示装置は、更に、切り換えられた駆動信号に応じて各メモリ手段を選択するメモリ選択手段を有することを特徴とする撮像表示システム。
【請求項４】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記固体撮像素子の全撮像領域の画素を走査するための全画素走査駆動信号を発生する全画素走査駆動信号発生手段と、
上記固体撮像素子の全撮像領域の画素について所定の間引き率で特定画素を間引いて走査するための間引き走査駆動信号を発生する間引き走査駆動信号発生手段と、
上記特定手段の出力に基づいて、上記全画素走査駆動信号と上記間引き走査駆動信号とを切り換えるための駆動信号切換手段とを有し、
上記表示装置は、
上記全画素又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項５】
上記メモリ手段は、上記全画素走査駆動信号により走査され上記固体撮像素子より出力された画像情報を記憶する全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項４に記載の撮像表示システム。
【請求項６】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素を走査するための全画素走査駆動信号を発生する全画素走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号、全画素走査駆動信号及び間引き走査駆動信号のいずれかに切り換えるための駆動信号切換手段とを有し、
上記表示装置は、
上記ブロック、全画素又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項７】
上記メモリ手段は、上記ブロック又は全画素走査駆動信号により走査され上記固体撮像素子より出力された画像情報を記憶するブロック・全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項６に記載の撮像表示システム。
【請求項８】
上記駆動信号切換手段は、上記特定手段の出力に基づいて制御されるものであることを特徴とする請求項１，３または６に記載の撮像表示システム。
【請求項９】
上記特定手段は、上記固体撮像素子の全撮像領域中の動きがあった領域を特定する動き検出手段であることを特徴とする請求項１，３，４，６または８に記載の撮像表示システム。
【請求項１０】
上記特定手段は、操作者が任意に上記固体撮像素子の全撮像領域中の一部の領域を特定するための操作部であることを特徴とする請求項１，３，４，６または８に記載の撮像表示システム。
【請求項１１】
上記固体撮像素子の全撮像領域のうちの使用する領域を設定するための設定手段を有することを特徴とする請求項１乃至９に記載の撮像表示システム。
【請求項１２】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域の画素を走査するためのブロック走査駆動信号を発生するブロック走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号と上記間引き走査駆動信号とを切り換えるための駆動信号切換手段とを有し、
上記表示装置は、
上記撮像装置に対して、ブロック走査するか又は間引き走査するかを指示するための操作部と、
上記操作部の操作に基づいて、上記駆動信号切換手段を切り換え制御するための制御信号を生成し、この制御信号を出力して上記撮像装置に伝送する制御信号生成出力手段と、
上記制御信号に応じて切り換え制御された上記ブロック又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項１３】
上記操作部は、ブロック走査における全撮像領域中の一部の領域を指定するようになされ、上記制御信号は、ブロック走査における上記操作部により指定された領域のアドレス情報を含んでなり、このアドレス情報に基づいたブロック走査駆動信号により上記固体撮像素子が走査されることを特徴とする請求項１２に記載の撮像表示システム。
【請求項１４】
上記表示装置は、上記撮像装置に対して表示装置が複数ある場合に、自己の識別情報を上記制御信号に付加することを特徴とする請求項１２に記載の撮像表示システム。
【請求項１５】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、
上記固体撮像素子から出力される１／ｎの間引き率で間引かれた画像情報を上記表示装置に対して送信する送信手段と、
を有することを特徴とする撮像表示システム。
【請求項１６】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、
上記固体撮像素子から出力される１／ｎの間引き率で間引かれた画像情報を上記表示装置に対して送信する送信手段とを有し、
上記表示装置は、
上記撮像装置から送信される１／ｎの間引き率で間引かれた画像情報を受信する受信手段と、
上記１／ｎの間引き率で間引かれた画像情報に対応する画像を表示する第１の表示手段と、
ｎフレーム分の上記１／ｎの間引き率で間引かれた画像情報に基づいて、１フレームの高精細な画像情報を再構築可能な信号処理手段と、
上記信号処理手段から出力される高精細な画像情報に対応する高精細な画像を表示する第２の表示手段とを有することを特徴とする撮像表示システム。
【請求項１７】
上記撮像装置は、さらに、
上記固体撮像素子の全撮像領域の画素について１／ｎの間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する第１のモードと、
上記固体撮像素子の全撮像領域の画素について１／ｎの間引き率で間引いて特定の画素のみを各フレーム毎に固定して走査させ、または、特定の画素およびその近傍の画素を加算して各フレーム毎に固定して走査させる第２のモードと、
を切り換えるためのモード切換手段を有することを特徴とする請求項１５または１６に記載の撮像表示システム。
【請求項１８】
上記表示装置は、さらに、
上記第１のモードと第２のモードの選択を指示入力するためのモード指定手段と、
このモード指定手段により指定されたモード情報を上記撮像装置に対して送信する送信手段とを有し、
上記撮像装置は、さらに、
上記表示装置から送信されるモード情報を受信して、上記モード切換手段に出力する受信手段を有することを特徴とする請求項１７に記載の撮像表示システム。
【請求項１９】
上記１／ｎの間引き率で間引かれた画像情報は、標準信号方式に従うまたは準ずるものであることを特徴とする請求項１５または１６に記載の撮像表示システム。
【請求項２０】
上記撮像装置は、
上記間引き率の情報、上記特定の画素をシフトさせる順序の情報、上記１サイクルにおけるフレーム番号の情報、または上記撮像素子の全撮像領域の画素構成の情報の少なくとも１つを含むインデックス情報を上記表示手段に対して送信するものであることを特徴とする請求項１５または１６に記載の撮像表示システム。
【請求項２１】
上記インデックス情報は、画像情報に重畳して送信されるものであることを特徴とする請求項２０に記載の撮像表示システム。
【請求項２２】
撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の画素について所定の間引き率で特定画素を間引いて走査するための間引き走査駆動信号を発生するものであって、読み出す画像信号のフレーム毎に、読み出し画素位置を異ならせるように該間引き走査駆動信号を発生する間引き走査駆動信号発生手段と、を有し、
上記表示装置は、
上記間引き走査駆動信号により走査され上記固体撮像素子より出力された画像情報を記憶するメモリ手段と、
上記メモリ手段に記憶された画像情報に対応する画像を表示するための表示手段と、を有することを特徴とする撮像表示システム。
【発明の詳細な説明】
【０００１】
【発明の属する技術分野】
本発明は、撮像表示システム、より詳しくは、撮像装置により得られた画像情報を表示装置に伝送して画像を表示する撮像表示システムに関する。
【０００２】
【従来の技術】
従来より、ＴＶ会議システム等における動画の画像表示方式では、伝送する情報量の総量を減らすために、種々の手段が用いられている。
【０００３】
例えば、特開平２−１０７０８７号公報には、映像入力部から入力される画像情報を画面毎に記憶部に格納して送信する送信装置と、この送信装置から画像情報を受信して画面毎に記憶部に格納し表示部に表示する表示装置とを有してなる動画表示システムにおいて、上記送信装置に、上記記憶部に格納される複数の画面単位で、特定の画面については全画像情報を、また他の画面については所定部分の画像情報を送信する送信手段と、上記表示装置に、上記記憶部に格納された画像情報の、上記特定の画面については全画像情報を、また上記他の画面については上記所定部分の画像情報と画面上他の部分は上記特定の画面の画像情報とを合成して上記表示部へ出力する手段とを設け、上記映像入力部から入力される画像情報を上記複数の画面単位で動画として表示する画像表示方式が記載されている。
【０００４】
つまり、このようなシステムにおいて、撮像装置を兼ねた送信装置のメモリ手段から撮像データを読み出すときに、画面内の動きの多い部分の画像情報を抽出して送信し、同一画面中の動きの少ない部分については受信側で先に受信している部分画面の情報を用いることにより、伝送する情報量を少なくしても、動きが滑らかで見易い画像を表示するようになっている。
【０００５】
また、特開平６−３５０９０６号公報には、撮像素子、または撮像素子上に結像した光学像をフィールド周期またはフレーム周期に同期させながら画素ピッチの整数分の１ずつシフトさせ、１つの画素開口部が異なるｎ個の被サンプリング領域をｎフィールドまたはｎフレームかけてサンプリングして撮像したｎ枚のフィールド画像またはフレーム画像を合成することにより入力画像を高精細化する画像信号合成法において、各被サンプリング領域の輝度値を、該被サンプリング領域におけるサンプリング値と、該被サンプリング領域をサンプリングする画素開口部がサンプリングする他の被サンプリング領域におけるサンプリング値の関数として決定する画像信号合成法が記載されている。
【０００６】
つまり、上記特開平６−３５０９０６号公報に記載のものは、撮像素子をずらしながら部分画像を取り込んで後で合成することにより、従来より汎用されている通常の画素数の撮像素子を用いて高精細の画像を得ることができるようにしたものである。
【０００７】
さらに、特開平９−１３５３９０号公報には、複数の画素からなる受光素子領域を有する撮像素子と、該撮像素子から光電荷信号を読み出すための撮像素子駆動手段とを備えた撮像装置において、上記駆動手段を、撮像素子から読み出した信号出力を記録以外に利用するための駆動モードで動作させる第１の駆動モードと撮像素子から読み出した信号を記録するための駆動モードで動作させる第２の駆動モードとを切り換えて出力できるように構成するとともに、上記第１の駆動モードでは上記受光素子領域の内の一部を読み出し、上記第２の駆動モードでは第１の駆動モードで読み出した受光素子領域とは少なくとも一部は異なる受光素子領域を読み出すように構成した撮像装置が記載されている。
【０００８】
より具体的には、上記特開平９−１３５３９０号公報に記載のものは、撮像素子駆動手段による撮像素子の駆動を、ブロック走査駆動、スキップ走査駆動、全画素走査駆動などから選択することができるように構成されていて、被写体を表示手段でモニタする際には高いフレームレートの駆動方法を選択し、撮像する際にはフレームレートが低くとも高精細な画像を取り込むことができるようにしている。
【０００９】
ところで、近年では特に監視などの用途に向けて、通常時はフレームレートの高い動画を観察することができるとともに、必要に応じて高精細な画像を観察したり、暗い被写体を明るく観察したりすることができるような撮像表示システムの出現が望まれている。
【００１０】
【発明が解決しようとする課題】
しかしながら、上記特開平２−１０７０８７号公報に記載のものでは、送信装置を兼ねた撮像装置側にメモリ手段を設けているために、撮像装置の大型化やコストアップにつながるという問題点があった。
【００１１】
また、メモリ手段に書き込んだ後の画素データの出力の仕方を工夫する手段であるために、撮像素子の出力をメモリ手段に書き込む処理については情報量を少なくする工夫がなされていない。つまり、ＣＣＤ等のランダムアクセスをすることができない撮像素子を用いた場合には、撮像素子から全画素のデータを出力してメモリ手段に書き込む必要があり、処理に要する時間が長くなって、結局フレームレートが低下することになる。これは、近年、撮像素子の高画素化が進んでいる状況においては、特に問題となっていた。
【００１２】
さらに、画面内の被写体の動きの範囲が大きい場合や全画面を送信する場合については、伝送する情報量を少なくする工夫が十分になされているとはいえなかった。
【００１３】
また、上記特開平６−３５０９０６号公報に記載のものでは、撮像素子をずらす手段が必要であるために、撮像装置の大型化を招いていた。
【００１４】
特開平９−１３５３９０号公報に記載のものでは、高精細な画像を通常のフレームレートで取り込むことは難しく、また、高精細な画像を通常のレートで汎用の通信手段等を用いて表示装置側に送出することも困難であった。これはすなわち、画像を伝送する（あるいは入力、表示する）速度には限界がある一方で、画像が高精細になると情報量が多くなり、フレームレートが低下せざるを得ないためである。
【００１５】
また、比較的視野の狭い撮像装置を複数設置することで、被写体を精細に観察することができるようにする構成も考えられるが、この場合には、複数の撮像装置を観察しなければならず、記録するにも複数の記録手段が必要となり、しかも、視野全体を包含する画像を観察するには適していない。
【００１６】
一方で、高精細画像を比較的高速なフレームレートで取り込んで動画として出力可能にする撮像装置は、構成が特殊であるために高価なものにならざるを得なかった。さらに、高精細画像を比較的高速なフレームレートで遠隔伝送する場合にも、同様に特殊なデータ回線やネットワークの入出力回路等が必要になるために、やはり高価なものとなってしまう。
【００１７】
本発明は上記事情に鑑みてなされたものであり、撮像装置の大型化を招くことなく表示装置へ伝送する画像情報の情報量を少なくすることができる撮像表示システムを提供することを目的としている。
【００１８】
【課題を解決するための手段】
上記の目的を達成するために、第１の発明による撮像表示システムは、撮像装置により得られた画像情報を表示装置に伝送しこの表示装置により伝送された画像情報に対応する画像を表示する撮像表示システムであって、上記撮像装置は、Ｘ−Ｙアドレス型の固体撮像素子と、上記固体撮像素子の全撮像領域中の一部の領域を特定する特定手段と、上記特定手段により特定された全撮像領域中の一部の領域の画素を走査するためのブロック走査駆動信号を発生するブロック走査駆動信号発生手段と、上記固体撮像素子の全撮像領域の画素について所定の間引き率で特定画素を間引いて走査するための間引き走査駆動信号を発生する間引き走査駆動信号発生手段と、上記ブロック走査駆動信号と上記間引き走査駆動信号とを切り換えるための駆動信号切換手段とを有し、上記表示装置は、上記ブロック又は間引き走査駆動信号により走査され上記固体撮像素子より出力された画像情報を記憶するメモリ手段と、上記メモリ手段に記憶された画像情報に対応する画像を表示するための表示手段とを有するものである。
【００１９】
第２の発明による撮像表示システムは、第１の発明において、上記メモリ手段は、上記ブロック走査駆動信号により走査され上記固体撮像素子より出力された画像情報を記憶するブロックメモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有するものである。
【００２０】
第３の発明による撮像表示システムは、撮像装置により得られた画像情報を表示装置に伝送しこの表示装置により伝送された画像情報に対応する画像を表示する撮像表示システムであって、上記撮像装置は、Ｘ−Ｙアドレス型の固体撮像素子と、上記固体撮像素子の全撮像領域中の一部の領域を特定する特定手段と、上記特定手段により特定された全撮像領域中の一部の領域の画素を走査するためのブロック走査駆動信号を発生するブロック走査駆動信号発生手段と、上記固体撮像素子の全撮像領域の画素を走査するための全画素走査駆動信号を発生する全画素走査駆動信号発生手段と、上記ブロック走査駆動信号と上記全画素走査駆動信号とを切り換えるための駆動信号切換手段とを有し、上記表示装置は、上記ブロック又は全画素走査駆動信号により走査され上記固体撮像素子より出力された画像情報を記憶するメモリ手段と、上記メモリ手段に記憶された画像情報に対応する画像を表示するための表示手段とを有し、上記メモリ手段は、上記ブロック走査駆動信号により走査され上記固体撮像素子より出力された画像情報を記憶するブロックメモリ手段と、上記全画素走査駆動信号により走査され上記固体撮像素子より出力された画像情報を記憶する全画素メモリ手段とを備えてなり、上記表示装置は、更に、切り換えられた駆動信号に応じて各メモリ手段を選択するメモリ選択手段を有するものである。
【００２１】
第４の発明による撮像表示システムは、撮像装置により得られた画像情報を表示装置に伝送し、この表示装置により伝送された画像情報に対応する画像を表示する撮像表示システムであって、上記撮像装置は、Ｘ−Ｙアドレス型の固体撮像素子と、上記固体撮像素子の全撮像領域中の一部の領域を特定する特定手段と、上記固体撮像素子の全撮像領域の画素を走査するための全画素走査駆動信号を発生する全画素走査駆動信号発生手段と、上記固体撮像素子の全撮像領域の画素について所定の間引き率で特定画素を間引いて走査するための間引き走査駆動信号を発生する間引き走査駆動信号発生手段と、上記特定手段の出力に基づいて、上記全画素走査駆動信号と上記間引き走査駆動信号とを切り換えるための駆動信号切換手段とを有し、上記表示装置は、上記全画素又は間引き走査駆動信号により走査され上記固体撮像素子より出力された画像情報を記憶するメモリ手段と、上記メモリ手段に記憶された画像情報に対応する画像を表示するための表示手段とを有するものである。
【００２２】
第５の発明による撮像表示システムは、第４の発明において、上記メモリ手段は、上記全画素走査駆動信号により走査され上記固体撮像素子より出力された画像情報を記憶する全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有するものである。
【００２３】
第６の発明による撮像表示システムは、撮像装置により得られた画像情報を表示装置に伝送し、この表示装置により伝送された画像情報に対応する画像を表示する撮像表示システムであって、上記撮像装置は、Ｘ−Ｙアドレス型の固体撮像素子と、上記固体撮像素子の全撮像領域中の一部の領域を特定する特定手段と、上記特定手段により特定された全撮像領域中の一部の領域の画素を走査するためのブロック走査駆動信号を発生するブロック走査駆動信号発生手段と、上記固体撮像素子の全撮像領域の画素を走査するための全画素走査駆動信号を発生する全画素走査駆動信号発生手段と、上記固体撮像素子の全撮像領域の画素について所定の間引き率で特定画素を間引いて走査するための間引き走査駆動信号を発生する間引き走査駆動信号発生手段と、上記ブロック走査駆動信号、全画素走査駆動信号及び間引き走査駆動信号のいずれかに切り換えるための駆動信号切換手段とを有し、上記表示装置は、上記ブロック、全画素又は間引き走査駆動信号により走査され上記固体撮像素子より出力された画像情報を記憶するメモリ手段と、上記メモリ手段に記憶された画像情報に対応する画像を表示するための表示手段とを有するものである。
【００２４】
第７の発明による撮像表示システムは、第６の発明において、上記メモリ手段は、上記ブロック又は全画素走査駆動信号により走査され上記固体撮像素子より出力された画像情報を記憶するブロック・全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有するものである。
【００２５】
第８の発明による撮像表示システムは、第１，３または６の発明において、上記駆動信号切換手段は、上記特定手段の出力に基づいて制御されるものであることを特徴とするものである。
【００２６】
第９の発明による撮像表示システムは、第１，３，４，６または８の発明において、上記特定手段は、上記固体撮像素子の全撮像領域中の動きがあった領域を特定する動き検出手段であることを特徴とするものである。
【００２７】
第１０の発明による撮像表示システムは、第１，３，４，６または８の発明において、上記特定手段は、操作者が任意に上記固体撮像素子の全撮像領域中の一部の領域を特定するための操作部であることを特徴とするものである。
【００２８】
第１１の発明による撮像表示システムは、第１乃至９の発明において、上記固体撮像素子の全撮像領域のうちの使用する領域を設定するための設定手段を有することを特徴とするものである。
【００２９】
第１２の発明による撮像表示システムは、撮像装置により得られた画像情報を表示装置に伝送し、この表示装置により伝送された画像情報に対応する画像を表示する撮像表示システムであって、上記撮像装置は、Ｘ−Ｙアドレス型の固体撮像素子と、上記固体撮像素子の全撮像領域中の一部の領域の画素を走査するためのブロック走査駆動信号を発生するブロック走査駆動信号発生手段と、上記固体撮像素子の全撮像領域の画素について所定の間引き率で特定画素を間引いて走査するための間引き走査駆動信号を発生する間引き走査駆動信号発生手段と、上記ブロック走査駆動信号と上記間引き走査駆動信号とを切り換えるための駆動信号切換手段とを有し、上記表示装置は、上記撮像装置に対して、ブロック走査するか又は間引き走査するかを指示するための操作部と、上記操作部の操作に基づいて、上記駆動信号切換手段を切り換え制御するための制御信号を生成し、この制御信号を出力して上記撮像装置に伝送する制御信号生成出力手段と、上記制御信号に応じて切り換え制御された上記ブロック又は間引き走査駆動信号により走査され上記固体撮像素子より出力された画像情報を記憶するメモリ手段と、上記メモリ手段に記憶された画像情報に対応する画像を表示するための表示手段とを有するものである。
【００３０】
第１３の発明による撮像表示システムは、第１２の発明において、上記操作部は、ブロック走査における全撮像領域中の一部の領域を指定するようになされ、上記制御信号は、ブロック走査における上記操作部により指定された領域のアドレス情報を含んでなり、このアドレス情報に基づいたブロック走査駆動信号により上記固体撮像素子が走査されることを特徴とするものである。
【００３１】
第１４の発明による撮像表示システムは、第１２の発明において、上記表示装置は、上記撮像装置に対して表示装置が複数ある場合に、自己の識別情報を上記制御信号に付加することを特徴とするものである。
【００３２】
第１５の発明による撮像表示システムは、撮像装置により得られた画像情報を表示装置に伝送しこの表示装置により伝送された画像情報に対応する画像を表示する撮像表示システムであって、上記撮像装置は、Ｘ−Ｙアドレス型の固体撮像素子と、上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、上記固体撮像素子から出力される１／ｎの間引き率で間引かれた画像情報を上記表示装置に対して送信する送信手段とを有するものである。
【００３３】
第１６の発明による撮像表示システムは、撮像装置により得られた画像情報を表示装置に伝送しこの表示装置により伝送された画像情報に対応する画像を表示する撮像表示システムであって、上記撮像装置は、Ｘ−Ｙアドレス型の固体撮像素子と、上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、上記固体撮像素子から出力される１／ｎの間引き率で間引かれた画像情報を上記表示装置に対して送信する送信手段とを有し、上記表示装置は、上記撮像装置から送信される１／ｎの間引き率で間引かれた画像情報を受信する受信手段と、上記１／ｎの間引き率で間引かれた画像情報に対応する画像を表示する第１の表示手段と、ｎフレーム分の上記１／ｎの間引き率で間引かれた画像情報に基づいて１フレームの高精細な画像情報を再構築可能な信号処理手段と、上記信号処理手段から出力される高精細な画像情報に対応する高精細な画像を表示する第２の表示手段とを有するものである。
【００３４】
第１７の発明による撮像表示システムは、第１５または１６の発明において、上記撮像装置が、さらに、上記固体撮像素子の全撮像領域の画素について１／ｎの間引き率で間引いて特定の画素のみを走査させるとともに、フレーム毎に走査の対象となる上記特定の画素を順次規則的にシフトさせることにより、ｎフレームを１サイクルとして１サイクル毎に全撮像領域の全画素の情報を出力させるように駆動する第１のモードと、上記固体撮像素子の全撮像領域の画素について１／ｎの間引き率で間引いて特定の画素のみを各フレーム毎に固定して走査させ、または、特定の画素およびその近傍の画素を加算して各フレーム毎に固定して走査させる第２のモードとを切り換えるためのモード切換手段を有するものである。
【００３５】
第１８の発明による撮像表示システムは、第１７の発明において、上記表示装置が、さらに、上記第１のモードと第２のモードの選択を指示入力するためのモード指定手段と、このモード指定手段により指定されたモード情報を上記撮像装置に対して送信する送信手段とを有し、上記撮像装置が、さらに、上記表示装置から送信されるモード情報を受信して、上記モード切換手段に出力する受信手段を有するものである。
【００３６】
第１９の発明による撮像表示システムは、第１５または１６の発明において、上記１／ｎの間引き率で間引かれた画像情報が標準信号方式に従うまたは準ずるものである。
【００３７】
第２０の発明による撮像表示システムは、第１５または１６の発明において、上記撮像装置が、上記間引き率の情報、上記特定の画素をシフトさせる順序の情報、上記１サイクルにおけるフレーム番号の情報、または上記撮像素子の全撮像領域の画素構成の情報の少なくとも１つを含むインデックス情報を上記表示手段に対して送信するものである。
【００３８】
第２１の発明による撮像表示システムは、第２０の発明において、上記インデックス情報が画像情報に重畳して送信されるものである。
【００３９】
第２２の発明による撮像表示システムは、撮像装置により得られた画像情報を表示装置に伝送しこの表示装置により伝送された画像情報に対応する画像を表示する撮像表示システムであって、上記撮像装置は、Ｘ−Ｙアドレス型の固体撮像素子と、上記固体撮像素子の画素について所定の間引き率で特定画素を間引いて走査するための間引き走査駆動信号を発生するものであって、読み出す画像信号のフレーム毎に、読み出し画素位置を異ならせるように該間引き走査駆動信号を発生する間引き走査駆動信号発生手段と、を有し、上記表示装置は、上記間引き走査駆動信号により走査され上記固体撮像素子より出力された画像情報を記憶するメモリ手段と、上記メモリ手段に記憶された画像情報に対応する画像を表示するための表示手段とを有するものである。
【００４０】
【発明の実施の形態】
以下、図面を参照して本発明の実施の形態を説明する。
【００４１】
図１〜図７の実施形態では、表示画像の選択を画像情報の動き検出等により撮像装置側にて行うものであり、図８〜図１１の実施形態では、表示画像の選択を表示装置側の操作者が行うものであり、図１２〜図２４の実施形態は撮像装置側から標準的な画像情報を送信して表示装置側で高精細な画像を再構築することができるようにしたものである。
【００４２】
図１，図２は本発明の第１の実施形態を示したものであり、図１は撮像表示システムにおける撮像装置および表示装置の構成を示すブロック図、図２はＴＶ会議を行っている場合の固体撮像素子による全撮像領域の様子を示す図である。
【００４３】
この撮像装置は、全撮像領域中の全画素または全撮像領域の画素について所定の間引き率で特定画素を間引くことにより情報量を減らした画素または全撮像領域中の一部の領域の画素の出力が可能であるＸ−Ｙアドレス型の固体撮像素子１と、この固体撮像素子１を含んでおり被写体像を光学的に結像してこの結像した被写体像を該固体撮像素子１により光電変換して電気信号として出力する撮像手段２と、上記固体撮像素子１の全撮像領域中において動きのあった領域を特定する特定手段たる動き検出手段３と、この動き検出手段３により特定された上記固体撮像素子１の全撮像領域中の一部の連続する領域（部分撮像領域）の画素を出力させるように該固体撮像素子１を制御するためのブロック走査駆動信号を発生するブロック走査駆動信号発生手段５と、上記全撮像領域中の画素について所定の間引き率で特定画素を間引くことにより情報量を減らして出力するように上記固体撮像素子１を制御するための間引き走査駆動信号を発生する間引き走査駆動信号発生手段６と、上記ブロック走査駆動信号発生手段５と間引き走査駆動信号発生手段６を後述するシステムコントローラ１０の制御により任意に切り換える駆動信号切換手段７と、上記駆動信号切換手段７を制御するシステムコントローラ１０とを有して構成されている。
【００４４】
また、表示装置は、例えば電話回線等を利用して伝送された上記撮像装置の固体撮像素子１の出力を受け取り１次記憶するメモリ手段８と、このメモリ手段８に格納された画素データを順次読み出して表示する表示手段９とを有して構成されている。
【００４５】
このようにして、上述した従来例とは異なり、固体撮像素子１を含む撮像装置側にはメモリ手段が設けられておらず、この撮像装置から伝送された画像情報を受け取る表示装置側にのみメモリ手段８が設けられている。
【００４６】
次に、固体撮像素子１の全撮像領域の画素構成が、縦２０４８×横２０４８画素である場合を例にとって、図２を参照してより具体的に説明する。
【００４７】
図２は例えばＴＶ会議を行っている場合の固体撮像素子１による全撮像領域の様子を示す図である。
【００４８】
全撮像領域２１には、出席者である人２４と、この人２４の前に各設置されたマイク２３と、机２２や壁２５などの背景と、が撮像されている。
【００４９】
この全撮像領域２１は、例えば１６分割して部分撮像領域Ａ１１〜Ａ４４に分けられており、これらの部分撮像領域は縦５１２×横５１２画素の構成となっている。
【００５０】
上記部分撮像領域の内の、Ａ１３，Ａ２２，Ａ３１，Ａ３４，Ａ４１，Ａ４４の各部分撮像領域は人２４が撮像されている領域である。上述のように各人２４の前にはマイク２３が設置されていて、つまり、出席者である人２４の前に置かれたマイク２３は、固体撮像素子１の全撮像領域２１中の上記各部分撮像領域Ａ１３，Ａ２２，Ａ３１，Ａ３４，Ａ４１，Ａ４４にそれぞれ対応している。
【００５１】
このマイク２３の入力部には、音声入力の有無を検出する検出回路が設けられていて、マイク２３に音声入力があったことが検出された場合に、発言があったと判断して動き検出の対象とするようになっている。
【００５２】
なお、音声入力の検出基準としては、せき，くしゃみ，独り言などを含まないようになっており、つまり、一定レベル以上の音声が所定時間以上継続した場合にのみ音声入力があったと判断している。
【００５３】
このようにして動き検出手段３が構成されており、この実施形態においては、動き検出手段３を特定手段として用いて、固体撮像素子１による全撮像領域中の部分撮像領域を特定するようになっている。
【００５４】
上記ブロック走査駆動信号発生手段５は、固体撮像素子１の全撮像領域２１中において、上記動き検出手段３により特定された部分撮像領域の縦５１２×横５１２画素の出力を行わせるブロック走査駆動信号を発生するものである。
【００５５】
一方、上記間引き走査駆動信号発生手段４は、縦方向および横方向共に４画素毎に１画素を読み出して、全撮像領域２１内から間引いた縦５１２×横５１２画素の出力を行わせる間引き走査駆動信号を発生するものである。
【００５６】
続いて、上記図１を参照してこの第１の実施形態の作用を説明する。
【００５７】
まず、システムの起動時には、システムコントローラ１０等の制御により、駆動信号切換手段７に入力される駆動信号を、間引き走査駆動信号発生手段６側に切り換える。この間引き走査駆動信号発生手段６は、全撮像領域２１を間引き走査することにより、縦５１２×横５１２画素の画像データを１フレーム出力する。
【００５８】
上記固体撮像素子１からの出力データには、先頭に、該データが間引き走査によるデータであることを判別するための間引きコードを付属させる。この間引きコードは、ブロック走査時に付属するアドレス情報であるブロックコード（縦１２ｂｉｔ＋横１２ｂｉｔ＝２４ｂｉｔのアドレス）と区別するために、１２ｂｉｔのオール１＋１２ｂｉｔのオール０（１１１１１１１１１１１１００００００００００００）を用いるものとする。
【００５９】
１フレームのデータは、２４ｂｉｔブロックコード＋縦５１２×横５１２画素のデータであるために、一般的なＮＴＳＣのサンプリング時の画素数によるデータとほぼ同等のデータ量となり、従来のレートによりデータを伝送することが可能である。
【００６０】
こうして撮像装置から表示装置に伝送された間引き走査駆動による最初の１フレームの出力データは、上記メモリ手段８において、１画素のデータを縦４×横４画素に割り振られたメモリ撮像領域に書き込む方法で格納させる。これを全ての画素について順次繰り返すことにより、縦５１２×横５１２画素の各データが、縦２０４８×横２０４８画素に対応するメモリ撮像領域に書き込まれる。
【００６１】
上記表示手段９は、メモリ手段８の全メモリ領域から、縦２０４８×横２０４８画素に対応するメモリ撮像領域のデータを読み出して表示する。
【００６２】
こうして、システムの起動時には、まず間引き走査を行って１フレームのデータとして出力することにより、おおよその全体像の情報を即時的に伝送することができる。
【００６３】
上記最初の全体像の表示を行ったら、次に、システムコントローラ１０等の制御により、駆動信号切換手段７に入力される駆動信号を、ブロック走査駆動信号発生手段５側に切り換える。
【００６４】
上記動き検出手段３は、上述したようなマイク２３への音声入力から、全撮像領域中の動きのあった部分撮像領域を特定する。
【００６５】
上記ブロック走査駆動信号発生手段５は、動き検出手段３により特定された部分撮像領域をブロック走査する駆動信号を発生する。
【００６６】
このブロック走査駆動信号により固体撮像素子１から出力されたデータには、先頭に、ブロック走査によるものであることを判別するためのブロックコードを付属させて、１フレームのデータとする。このブロックコードは、読み出しを開始するアドレス情報を含むものである。このアドレスは、縦１２ｂｉｔ、横１２ｂｉｔの計２４ｂｉｔで構成されており、上述した間引きコードである１２ｂｉｔのオール１＋１２ｂｉｔのオール０以外の数字を用いる。
【００６７】
動きがある部分撮像領域が複数ある場合には、ブロック走査による１フレーム出力をそれらの部分撮像領域について順次繰り返す。
【００６８】
メモリ手段８は、画像データに付属するブロックコードに含まれるアドレス情報に従って、部分撮像領域に対応するメモリ撮像領域に、縦５１２×横５１２画素の動きがあった各部分撮像領域ごとのデータを書き込む。
【００６９】
表示手段９は、メモリ手段８の全メモリ領域から、縦２０４８×横２０４８画素のデータを読み出して再び表示を行う。このとき、動きのある部分撮像領域が１つである場合には、その撮像領域の縦５１２×横５１２画素のデータの伝送が終了する１フレーム後に再表示する。
【００７０】
また、動きのある部分撮像領域が複数である場合は、以下に説明するような（１）または（２）の２通りの読み出し方をする。
【００７１】
（１）１フレーム毎に出力データ部分を書き換えて、再表示する。
【００７２】
（２）メモリ手段８が、各ブロック走査出力のデータにより全て書き換えられた時点で、次のフレームを再表示する。
【００７３】
なお、ブロック走査駆動により固体撮像素子１から出力されて、メモリ手段８上において既に書き換えられた領域は、解像度が縦横各２０４８本相当（部分撮像領域の実際の画素数は縦５１２×横５１２画素）となり、一方、それ以外の撮像領域は、最初の間引き読み出しによる縦横各５１２本相当（部分撮像領域の実際の画素数は縦５１２×横５１２画素）の解像度のままである。
【００７４】
また、固体撮像素子１からメモリ手段８に伝送する１フレームのデータは、縦５１２×横５１２画素であるために、おおよそ標準的なＮＴＳＣレートで処理を行うことが可能である。ＮＴＳＣレートであれば、固体撮像素子１とメモリ手段８の間の１フレームのデータ送信としては従来と異なる特別な伝送系を必要としないために、例えば既存のモデムと電話回線の組み合わせを用いることが可能であり、比較的簡単に遠方にデータを伝送することができる。
【００７５】
こうして、起動時に間引き走査駆動信号発生手段を用い、動きがある場合にブロック走査駆動信号発生手段を用いて使い分けることにより、それぞれに最適な画像を一定の少ない画素の出力によって実現することができる。
【００７６】
また、動きのある部分撮像領域が多い場合に間引き走査駆動信号発生手段を用い、動きのある部分撮像領域が少ない場合にブロック走査駆動信号発生手段を用いるようにしてもよい。
【００７７】
このような第１の実施形態によれば、従来技術と異なり、撮像装置側にメモリ手段を備える必要がないために、撮像装置の小型化およびコストダウン化を図ることができる。
【００７８】
また、ランダムアクセス可能な固体撮像素子を有する撮像手段から、動きのあった部分撮像領域の画素のみを必要に応じて読み出せばよく、不必要な部分を読み出す必要がないために、短時間で読み出しができて高速な処理を行うことが可能である。
【００７９】
さらに、動きがないときは、表示装置側のメモリ手段へ画素のデータを出力する必要がないために、固体撮像素子とメモリ手段との間の合計の伝送情報量を極力軽減することが可能である。
【００８０】
そして、間引き走査駆動信号発生手段より全撮像領域の画素を間引いて出力するために、おおよその全体像の情報を即時的に伝送することが可能である。
【００８１】
加えて、ブロック走査駆動信号発生手段により駆動する１フレームの画素数と、間引き走査駆動信号発生手段により駆動する１フレームの画素数は、それぞれ任意に設定することができるために、同じ値にして固体撮像素子から画素を出力するフレームレートを一定にすることが可能である。そして、この場合には、ブロック走査駆動信号による画素の出力と間引き走査駆動信号による画素の出力を、共通の伝送手段により伝送することが可能である。
【００８２】
また、１フレームの画素数を全画素数に対して十分小さい値に設定することが可能であるために、高画素の固体撮像素子を用いた場合でも、例えばＮＴＳＣ機器で使用される画素数と同程度に画素数を抑制することにより、伝送可能な情報量が比較的小さい従来の伝送手段を利用することができる。
【００８３】
さらに、駆動信号切換手段を動き検出手段の制御とは独立に動作させるために、設定したフレームレートを任意に選択することが可能である。
【００８４】
次に、本発明の第２の実施形態について説明する。この第２の実施形態において、上述の第１の実施形態と同様である部分については説明を省略し、主として異なる点についてのみ説明する。
【００８５】
この第２の実施形態について、上記図１を参照して説明する。
上述した第１の実施形態においては、動き検出手段３の出力はブロック走査駆動信号発生手段５にのみ入力されており、システムコントローラ１０はこれとは別に駆動信号切換手段７を制御して切り換えていた。
【００８６】
これに対してこの第２の実施形態では、図１中の破線で示すように、動き検出手段３の出力がシステムコントローラ１０に入力されて、システムコントローラ１０が、該動き検出手段３の出力に基づいて駆動信号切換手段７を切り換えるようになっている。
【００８７】
このような第２の実施形態によれば、上述の第１の実施形態とほぼ同様の効果を奏するとともに、動き検出手段の出力に基づいてシステムコントローラが駆動信号切換手段を動作させるために、駆動信号切換の自動化が可能である。また、動き検出手段の出力に基づいて切り換えるために、適正な切り換えとなり、かつ高速な処理が可能になる。
【００８８】
図３は本発明の第３の実施形態を示したものであり、撮像表示システムにおける撮像装置および表示装置の構成を示すブロック図である。この第３の実施形態において、上述の第１，第２の実施形態と同様である部分については説明を省略し、主として異なる点についてのみ説明する。
【００８９】
この第３の実施形態においては、上述の第１の実施形態に設けられていた間引き走査駆動信号発生手段６は設けられておらず、その代わりに、上記固体撮像素子１の撮像領域の全画素を出力させる駆動信号を発生する全画素走査駆動信号発生手段４が設けられている。
【００９０】
次に、このような第３の実施形態の作用を説明する。
【００９１】
まず、システムの起動時には、システムコントローラ１０等の制御により、駆動信号切換手段７に入力される駆動信号を、全画素走査駆動信号発生手段４側に切り換える。この全画素走査駆動信号発生手段４は、固体撮像素子１の全撮像領域の縦２０４８×横２０４８画素の画像データを１フレーム出力させる駆動信号を発生する。
【００９２】
上記固体撮像素子１からの出力データには、先頭に、該データが全画素走査によるデータであることを判別するための全画素コードを付属させる。この全画素コードは、ブロック走査時に付属するアドレス情報であるブロックコードと区別するために、２４ｂｉｔのオール１（１１１１１１１１１１１１１１１１１１１１１１１１）を用いるものとする。
【００９３】
撮像装置から伝送された上記データが表示装置に入力されると、上記メモリ手段８は、縦２０４８×横２０４８画素のデータを順次メモリ領域に書き込み、表示手段９は、このメモリ手段８の全メモリ領域から、縦２０４８×横２０４８画素に対応するメモリ撮像領域のデータを読み出して表示する。
【００９４】
こうして最初の表示を行ったら、次に、システムコントローラ１０等の制御により、駆動信号切換手段７に入力される駆動信号を、ブロック走査駆動信号発生手段５側に切り換える。
【００９５】
その後は、上述した第１の実施形態と同様に、動きのあった部分撮像領域についてブロック走査駆動を行い、ブロックコードに含まれるアドレスに従って、該部分撮像領域の画素の出力によりメモリ手段８のメモリ領域を書き換えて、表示手段９に表示する。
【００９６】
このような第３の実施形態によれば、上述の第１の実施形態とほぼ同様の効果を奏することができ、つまり、従来技術と異なって、撮像装置側にメモリ手段を備える必要がないために、撮像装置の小型化およびコストダウン化を図ることができる。
【００９７】
また、ランダムアクセス可能な固体撮像素子を有する撮像手段から、動きのあった部分撮像領域の画素のみを必要に応じて読み出せばよく、不必要な部分を読み出す必要がないために、短時間で読み出しができて高速な処理を行うことが可能である。
【００９８】
さらに、動きがないときは、表示装置側のメモリ手段へ画素のデータを出力する必要がないために、固体撮像素子とメモリ手段との間の合計の伝送情報量を極力軽減することが可能である。
【００９９】
そして、駆動信号切換手段を動き検出手段の制御とは独立に動作させるために、設定したフレームレートを任意に選択することが可能である。
【０１００】
次に、本発明の第４の実施形態について説明する。この第４の実施形態において、上述の第１から第３の実施形態と同様である部分については説明を省略し、主として異なる点についてのみ説明する。
【０１０１】
この第４の実施形態について、上記図３を参照して説明する。
【０１０２】
上述した第３の実施形態においては、動き検出手段３の出力はブロック走査駆動信号発生手段５にのみ入力されており、システムコントローラ１０はこれとは別に駆動信号切換手段７を制御して切り換えていた。
【０１０３】
これに対してこの第４の実施形態では、図３中の破線で示すように、動き検出手段３の出力がシステムコントローラ１０に入力されて、システムコントローラ１０が、該動き検出手段３の出力に基づいて駆動信号切換手段７を切り換えるようになっている。
【０１０４】
このような第４の実施形態によれば、上述の第３の実施形態とほぼ同様の効果を奏するとともに、動き検出手段の出力に基づいてシステムコントローラが駆動信号切換手段を動作させるために、駆動信号切換の自動化が可能である。また、動き検出手段の出力に基づいて切り換えるために、適正な切り換えとなり、かつ高速な処理が可能になる。
【０１０５】
図４は本発明の第５の実施形態を示したものであり、撮像表示システムにおける撮像装置および表示装置の構成を示すブロック図である。この第５の実施形態において、上述の第１から第４の実施形態と同様である部分については説明を省略し、主として異なる点についてのみ説明する。
【０１０６】
この第５の実施形態においては、上述の第１の実施形態に設けられていたブロック走査駆動信号発生手段５は設けられておらず、その代わりに、上記固体撮像素子１の撮像領域の全画素を出力させる駆動信号を発生する全画素走査駆動信号発生手段４が設けられている。
【０１０７】
また、動き検出手段３の出力はシステムコントローラ１０に入力されるようになっていて、これに応じて駆動信号切換手段７は、全画素走査駆動信号発生手段４と間引き走査駆動信号発生手段６を、システムコントローラ１０の制御に基づいて任意に切り換えるようになっている。
【０１０８】
また、全画素走査駆動信号発生手段４による動作は上述した第３の実施形態と同様であり、間引き走査駆動信号発生手段６による動作は上述した第１の実施形態と同様である。
【０１０９】
次に、このような第５の実施形態の作用を説明する。
【０１１０】
この第５の実施形態においては、撮像する被写体の動きが動き検出手段３により検出されると、その出力がシステムコントローラ１０に入力され、システムコントローラ１０はこの動き検出手段３の出力に基づいて、駆動信号切換手段７に入力される駆動信号を全画素走査駆動信号発生手段４側または間引き走査駆動信号発生手段６側に切り換える。
【０１１１】
こうして、撮像する被写体が静止しているか動いているかの状態に応じて、最適なフレームレートに切り換えることが可能である。
【０１１２】
例えば、動き検出手段３の出力に基づいて、被写体の動きがないまたは少ないと判断されたときは、システムコントローラ１０が、駆動信号切換手段７に入力される駆動信号を全画素走査駆動信号発生手段４側に切り換えて、解像度を向上するフレームレートにすることが可能である。
【０１１３】
一方、動き検出手段３の出力に基づいて、被写体の動きがあるまたは多いと判断されたときは、システムコントローラ１０が、駆動信号切換手段７に入力される駆動信号を間引き走査駆動信号発生手段６側に切り換えて、滑らかな動画像を得るフレームレートにすることが可能である。
【０１１４】
このような第５の実施形態によれば、上述の第１から第４の実施形態とほぼ同様の効果を奏するとともに、動き検出手段の出力に基づいてシステムコントローラが駆動信号切換手段を動作させるために、駆動信号切換の自動化が可能である。また、動き検出手段の出力に基づいて切り換えるために、適正な切り換えとなり、かつ高速な処理が可能になる。
【０１１５】
また、フレームレートを任意に設定することが可能であり、例えば、被写体の動きの有無や大小に応じて、最適なフレームレートを設定することができる。
【０１１６】
図５は本発明の第６の実施形態を示したものであり、撮像表示システムにおける撮像装置および表示装置の構成を示すブロック図である。この第６の実施形態において、上述の第１から第５の実施形態と同様である部分については説明を省略し、主として異なる点についてのみ説明する。
【０１１７】
この第６の実施形態は、上述の第１の実施形態の構成に加えて、固体撮像素子１の撮像領域の全画素を出力させる駆動信号を発生する全画素走査駆動信号発生手段４を備えさせたものである。
【０１１８】
また、上記全画素走査駆動信号発生手段４およびブロック走査駆動信号発生手段５による動作は上述の第３の実施形態と同様であり、間引き走査駆動信号発生手段６の動作は上述の第１の実施形態と同様である。
【０１１９】
次に、このような第６の実施形態の作用を説明する。
【０１２０】
システムを起動したとき、または被写体の動きがないときには、駆動信号切換手段７に入力される駆動信号を全画素走査駆動信号発生手段４側に切り換えることにより、全撮像領域２１の情報を一括して伝送することができ、かつ解像度を向上するフレームレートにすることが可能である。
【０１２１】
また、動きがある領域が少ないと操作者が判断した場合は、図示しない操作部によって指示を与えることにより、システムコントローラ１０が駆動信号切換手段７に入力される駆動信号をブロック走査駆動信号発生手段５側に切り換える。これにより、解像度を向上しつつ滑らかな動画像を得るフレームレートにすることが可能である。
【０１２２】
一方、動きがある領域が多い場合には、上述の第３の実施形態に示したような全画素走査駆動信号発生手段４とブロック走査駆動信号発生手段５のみを備える構成では、メモリ手段８中の動いた領域に対応する画素データを全て更新するために、複数のフレーム期間が必要である。
【０１２３】
そこで、この第６の実施形態においては、動きがある領域が多いと操作者が判断した場合は、図示しない操作部によって指示を与えることにより、システムコントローラ１０が、駆動信号切換手段７に入力される駆動信号を間引き走査駆動信号発生手段６側に切り換える。これにより、間引き画素を出力してメモリ手段８に低いフレームレートで伝送することができ、かつ表示手段９により全撮像領域２１の画像を表示することができる。
【０１２４】
すなわち、動きのある領域が多い場合にも少ない場合にも、それぞれに適した映像を表示することができる。この際に、低いフレームレート、例えば標準的なＮＴＳＣのレートでブロック走査駆動信号発生手段５と間引き走査駆動信号発生手段６による画素の出力を行うことができるために、この点については上述の第１の実施形態と同様の効果を奏する。
【０１２５】
このような第６の実施形態によれば、上述の各実施形態とほぼ同様の効果を奏するとともに、駆動信号切換手段を動き検出手段の制御とは独立に動作させるために、フレームレートを任意に設定することが可能であり、例えば、動きがないときは、駆動信号切換手段を全画素走査駆動信号に切り換えて、解像度を向上するフレームレートにすることが可能である。この全画素走査駆動信号による全画素の出力を、システムの起動時に行うことにより、全撮像領域の情報を一括して伝送することができる。
【０１２６】
また、動きがある領域が多いときは、駆動信号切換手段を間引き走査駆動信号に切り換えることにより、滑らかな動画像を得るフレームレートにすることが可能である。
【０１２７】
さらに、動きがある領域が少ないときは、動き検出手段の出力により駆動信号切換手段をブロック走査駆動信号に切り換えて、動きのある領域のみの画素を出力することにより、間引き走査駆動信号による画素データを出力する場合と同等の比較的速いフレームレートで滑らかな動画像を得ることが可能である。
【０１２８】
次に、本発明の第７の実施形態について説明する。この第７の実施形態において、上述の第１から第６の実施形態と同様である部分については説明を省略し、主として異なる点についてのみ説明する。
【０１２９】
この第７の実施形態について、上記図５を参照して説明する。
上述した第６の実施形態においては、動き検出手段３の出力はブロック走査駆動信号発生手段５にのみ入力されており、システムコントローラ１０はこれとは別に駆動信号切換手段７を制御して切り換えていた。
【０１３０】
これに対してこの第７の実施形態では、図５中の破線で示すように、動き検出手段３の出力がシステムコントローラ１０に入力されて、システムコントローラ１０が、該動き検出手段３の出力に基づいて駆動信号切換手段７を切り換えるようになっている。
【０１３１】
なお、この実施形態においては、図２に示した１６分割された部分撮像領域中において、動きがある領域が１つか２つである場合は動きが少ない、また、動きがある領域が３以上である場合は動きが多いとシステムコントローラ１０により判断するようになっている。
【０１３２】
このような第７の実施形態によれば、上述の第６の実施形態とほぼ同様の効果を奏するとともに、動き検出手段の出力に基づいてシステムコントローラが駆動信号切換手段を動作させるために、駆動信号切換の自動化が可能である。また、動き検出手段の出力に基づいて切り換えるために、適正な切り換えとなり、かつ高速な処理が可能になる。
【０１３３】
図６は本発明の第８の実施形態を示したものであり、撮像表示システムにおける撮像装置および表示装置の構成を示すブロック図である。この第８の実施形態において、上述の第１から第７の実施形態と同様である部分については説明を省略し、主として異なる点についてのみ説明する。
【０１３４】
この第８の実施形態においては、ブロック走査駆動信号発生手段５には、動き検出手段３の出力が入力されると共に、システムコントローラ１０による制御も可能になっている。つまり、ブロック走査駆動信号発生手段５は、例えばシステムコントローラ１０等の制御または動き検出手段３の少なくともどちらか一方により特定された固体撮像素子１の全撮像領域２１中の部分撮像領域の画素を出力させるように、固体撮像素子１を制御するようになっている。
【０１３５】
次に、このような第８の実施形態の作用を説明する。
【０１３６】
システムの起動時には、システムコントローラ１０等の制御により、全撮像領域２１中の部分撮像領域の画素出力を、読み出す位置を変化させながら複数回繰り返して行い、最終的に全撮像領域２１の画素を全て出力する。この出力データには、先頭に、ブロック走査による出力であることを判別するためのブロックコードを付属させる。
【０１３７】
メモリ手段８は、このブロックコードに基づくアドレスに従って、縦２０４８×横２０４８画素のデータを順次メモリ領域に書き込み、表示手段９が、メモリ手段８の全メモリ領域から縦２０４８×横２０４８画素のデータを読み出して表示する。
【０１３８】
次に、動き検出手段３により特定される動きのあった部分撮像領域を、ブロック走査駆動信号発生手段５によるブロック走査によって１フレーム出力する。このブロック走査駆動信号発生手段５による動作は、上述の第１の実施形態と同様である。
【０１３９】
システムの起動時に行う部分撮像領域の順次の読み出しと、動き検出手段３による部分撮像領域の読み出しは、システムコントローラ１０等の制御により任意に切り換えることが可能である。
【０１４０】
このような第８の実施形態によれば、上述の各実施形態とほぼ同様の効果を奏するとともに、単一の駆動信号発生手段による駆動によって、全撮像領域の画素と動きのある領域の画素とを出力することができるために、他の駆動信号発生手段や駆動信号切換手段が不要となって、上述した各実施形態に比して構成や動作が単純となり、撮像装置の小型化およびコストダウン化を図ることができる。
【０１４１】
次に、本発明の第９の実施形態について説明する。この第９の実施形態において、上述の第１から第８の実施形態と同様である部分については説明を省略し、主として異なる点についてのみ説明する。
【０１４２】
この第９の実施形態は、全撮像領域２１中において使用する領域を設定する設定手段を新たに設けたものである。この設定手段は、図示しない操作部または動き検出手段等により構成されている。これにより、例えば図１に示した動き検出手段３により特定する動き領域の範囲を狭めることができる。
【０１４３】
この点について上記図２を参照して説明する。
【０１４４】
上述したように、全撮像領域２１を１６分割した部分撮像領域Ａ１１〜Ａ４４の内で、出席者である人２４がいる領域、つまり動きがある領域は、Ａ１３，Ａ２２，Ａ３１，Ａ３４，Ａ４１，Ａ４４の６つである。
【０１４５】
出力する領域を上記６つの部分撮像領域に限定することによって、全撮像領域２１の画素を出力する際の固体撮像素子１または動き検出手段３の少なくともどちらか一方の動作時間を短縮することが可能である。図２に示した例の場合には、単純に１６分の６（６／１６）であると計算することができる。
【０１４６】
出力しない領域の画素は、以前に固体撮像素子１から出力した画素のデータを利用しても良いし、あるいはＲＯＭ等の他のメモリ手段に予め格納している自然画やコンピュータグラフィックス映像のデータを読み出して、上記メモリ手段８に書き込んで用いても良いために、表示手段９による全撮像領域の表示が欠落することなく自然な映像を見ることも可能である。
【０１４７】
このような第９の実施形態によれば、上述の第１から第８の実施形態とほぼ同様の効果を奏するとともに、全撮像領域中の出力領域を限定することにより、固体撮像素子や動き検出手段の動作時間を短縮化することが可能である。
【０１４８】
続いて、本発明の第１０の実施形態について説明する。この第１０の実施形態において、上述の第１から第９の実施形態と同様である部分については説明を省略し、主として異なる点についてのみ説明する。
【０１４９】
この第１０の実施形態は、例えば上記図１に示した動き検出手段３の代わりに、特定手段として操作部を設けたものである。これにより、操作者の意思が反映された画素の出力が可能になる。
【０１５０】
つまり、例えば上記図２に示したようなＴＶ会議等において、司会者が発言を許可したいまたは発言を求めたい人を選択して、全撮像領域２１中のその人に対応する部分撮像領域の画素を出力し、表示手段９に動画として表示することにより、司会者の意思を画像に明確に反映することができて、司会進行を有効に進める手段となりうる。
【０１５１】
このような第１０の実施形態によれば、上述の第１から第９の実施形態とほぼ同様の効果を奏するとともに、操作者の意思が反映されるために、伝送する情報がより要求に適合するものとなり、この撮像表示システムを例えばＴＶ会議等に適用した場合には、司会進行を有効に進める手段となりうる。
【０１５２】
図７は本発明の第１１の実施形態を示したものであり、撮像表示システムにおける撮像装置および表示装置の構成を示すブロック図である。この第１１の実施形態において、上述の第１から第１０の実施形態と同様である部分については説明を省略し、主として異なる点についてのみ説明する。
【０１５３】
この第１１の実施形態は、上述の第１の実施形態をやや変形したものであり、図７は本実施形態における構成の一例を示している。
【０１５４】
この実施形態の撮像表示システムにおける表示装置は、上記固体撮像素子１の出力を例えば電話回線等を利用して伝送した後に受け取り、出力に含まれるブロックコードまたは間引きコードに従って後述するメモリ手段を任意に選択するスイッチ等を有してなるメモリ選択手段１１と、このメモリ選択手段１１の一出力端側からの出力を１次記憶する間引きメモリ手段たる第１のメモリ手段８ａと、該メモリ選択手段１１の他の出力端側からの出力を１次記憶するブロックメモリ手段たる第２のメモリ手段８ｂと、上記第１のメモリ手段８ａまたは第２のメモリ手段８ｂに格納された画素データを順次読み出して表示する表示手段９とを備えている。
【０１５５】
次に、このような第１１の実施形態の作用を説明する。
【０１５６】
ブロック走査駆動信号発生手段５による出力データを受け取った際には、出力データに含まれるブロックコードによりメモリ選択手段１１を他の出力端側に切り換えて第２のメモリ手段８ｂに画素データを格納し、一方、間引き走査駆動信号発生手段５による出力の際には、出力に含まれる間引きコードにより該メモリ選択手段１１を一出力端側に切り換えて第１のメモリ手段８ａに画素データを格納する。そして、そのデータを読み出して表示手段９により表示する。
【０１５７】
このような第１１の実施形態によれば、上述の各実施形態とほぼ同様の効果を奏するとともに、メモリ選択手段を任意に切り換えることにより、複数の駆動信号により固体撮像素子から出力される複数種類の画素群のデータをそれぞれ別のメモリ手段に記憶することが可能であるために、各メモリ手段の読み出しを制御することによって、表示手段へ表示する画像を、解像度を向上する画像または滑らかな動画像に任意に選択することができる。
【０１５８】
また、全撮像領域の画素の出力をブロック走査により複数回に分割して行う場合は、１フレームで送られるデータは全撮像領域のデータの一部であるために、全データが送られるには数フレームかかる。そこでこの間は、第１のメモリ手段に記憶されている間引き走査による画素データを表示手段に表示し、ブロック走査による分割された画素データが全て第２のメモリ手段に送られた後で、メモリ選択手段により第２のメモリ手段に切り替えることで、書き換え途中の画像を表示しないことが可能である。
【０１５９】
動きのある領域が特定の部分撮像領域内に限定されず、ある領域の動きが他の領域へと移動する場合は、このような構成を用いることにより、見た目に自然な動画を表示手段に表示することができる。つまり、ブロック走査による画像を表示しているときに人などが他の部分撮像領域に移動した場合でも、間引きモードに切り換えて該間引き走査によるデータを記憶するメモリ手段からデータを読み出すことにより、自然な動画を表示することができる。
【０１６０】
なお、上述において、Ｘ−Ｙアドレス型の固体撮像素子は、ＭＯＳ型内部増幅センサであることが望ましい。
【０１６１】
また、上記第１１の実施形態は、上記第１の実施形態の構成をやや変形して、ブロック走査による画素データを第２のメモリ手段８ｂに格納し、間引き走査による画素データを第１のメモリ手段８ａに格納するようにしたものであったが、さらに他の実施形態の構成を変形し、例えば全画素走査による画素データを格納する全画素メモリ手段を設けて、メモリ選択手段により切り換えるようにしても良い。
【０１６２】
ところで、上述した実施形態において、例えば次に説明するような動き検出手段を採用することも考えられる。
すなわち、撮像装置側にも全画素のデータを記憶することができるメモリ手段を備えさせて、１フレーム毎にこのメモリ手段のデータを更新する処理を行う。ここで、各部分撮像領域の各画素を１フレーム前のデータと逐次比較することにより、動き検出を行うことが可能である。
【０１６３】
この場合においても、上述したランダムアクセス可能な固体撮像素子を用いれば画素の出力に無駄がないために、上述したような読み出しの高速性という特徴を有したものとなる。また、間引き読み出しやブロック読み出しを用いる場合には、上述したように、一定の比較的低いフレームレートによる既存のＮＴＳＣ機器を用いたデータの伝送が可能である。
【０１６４】
図８は本発明の第１２の実施形態を示したものであり、撮像表示システムにおける撮像装置および表示装置の構成を示すブロック図である。この第１２の実施形態において、上述の第１の実施形態と同様である部分については説明を省略し、主として異なる点についてのみ説明する。
【０１６５】
上述した各実施形態では、撮像装置側にて伝送する画像データを決定しているが、第１２の実施形態では、表示装置側の操作に応じた画像データを撮像装置から伝送するようになっている。
【０１６６】
撮像装置は、後述する表示装置から出力される制御信号を入力するための制御信号入力手段１２と、固体撮像素子１から出力された画像データを表示装置に出力するための画像データ出力手段１３とをさらに備えている。
【０１６７】
また、表示装置は、間引き読み出しにより全体像を表示するか、または、この全体像の表示から拡大して見たい部分を指定してブロック読み出しにより部分撮像領域を表示するかを選択操作するための操作部１４と、この操作部１４の操作に応じて間引き読み出しやブロック読み出し、そしてブロック読み出し時のアドレス情報等の制御信号を生成するための制御信号生成手段１５と、この制御信号を上記撮像装置に出力するための制御信号出力手段１６と、上記撮像装置から出力される画像データを入力するための画像データ入力手段１７とをさらに備えている。
【０１６８】
なお、撮像装置と表示装置とを接続する伝送路としては、上述した各実施形態と同様に電話回線やＬＡＮ等の既存の伝送手段を利用することができる。また、固体撮像素子としては、ＣＭＤ（Charge Modulation Device）撮像素子を用いてもよい。
【０１６９】
上記図８を参照してこの第１２の実施形態の作用を説明する。
【０１７０】
まず、システムの起動時には、上述の第１の実施形態と同様に、撮像装置にて間引き読み出しによって得られた１フレーム毎の画像データが表示装置に伝送され、表示装置にて動画による全体像の表示が行われる。
【０１７１】
表示装置側において、操作者がこの全体像の表示の中で拡大して見たい部分がある場合は、操作部１４にて後述する操作方法により見たい部分を指定する等の操作を行う。制御信号生成手段１５は、操作部１４により指定されたブロック読み出しにおけるアドレス情報等に応じた制御信号を生成する。この制御信号は、制御信号出力手段１６を介して表示装置から出力され、電話回線等の伝送路を介して撮像装置の制御信号入力手段１２に入力される。
【０１７２】
そして、入力された制御信号は、システムコントローラ１０に入力される。システムコントローラ１０は、ブロック走査駆動信号発生手段５に指定されたアドレス情報を出力し、さらに、駆動信号切換手段７を制御して、この駆動信号切換手段７に入力される駆動信号を、ブロック走査駆動信号発生手段５側に切り換える。
【０１７３】
ブロック走査駆動信号発生手段５は、上記アドレス情報に対応した部分撮像領域をブロック走査する駆動信号を発生する。このブロック走査駆動信号により固体撮像素子１から出力された画像データには、上述の第１の実施形態と同様に、先頭に、読み出しを開始するアドレス情報を含むブロックコードを付属している。固体撮像素子１から出力された画像データは、画像データ出力手段１３を介して撮像装置から出力され、伝送路を介して表示装置の画像データ入力手段１７に入力される。
【０１７４】
入力された画像データは、上述の第１の実施形態と同様に、メモリ手段８に記憶され、このメモリ手段８から読み出されて表示手段９に表示される。そして、表示装置にて次の操作が行われるまで、固体撮像素子１から指定されている部分撮像領域が読み出され、動画表示される。
【０１７５】
このような第１２の実施形態によれば、表示装置側の操作により撮像装置の固体撮像素子からの読み出しを制御することができるため、操作者は表示装置側にて所望の画像を得ることができる。
【０１７６】
また、撮像装置側にメモリ手段を備える必要がないために、撮像装置の小型化およびコストダウン化を図ることができる。
【０１７７】
さらに、ランダムアクセス可能な固体撮像素子を有する撮像手段から、操作部により指定された部分撮像領域の画素のみを必要に応じて読み出せばよく、不必要な部分を読み出す必要がないために、短時間で読み出しができて高速な処理を行うことが可能である。
【０１７８】
加えて、ブロック走査駆動信号発生手段により駆動する１フレームの画素数と、間引き走査駆動信号発生手段により駆動する１フレームの画素数は、それぞれ任意に設定することができるために、同じ値にして固体撮像素子から画素を出力するフレームレートを一定にすることが可能である。そして、この場合には、ブロック走査駆動信号による画素の出力と間引き走査駆動信号による画素の出力を、共通の伝送手段により伝送することが可能である。
【０１７９】
また、１フレームの画素数を全画素に対して十分小さい値に設定することが可能であるために、高画素の固体撮像素子を用いた場合でも、例えばＮＴＳＣ機器で使用される画素数と同程度に画素数を抑制することにより、伝送可能な情報量が比較的少ない従来の伝送手段を利用することができる。
【０１８０】
図９は本発明の第１３の実施形態を示したものであり、撮像表示システムにおける撮像装置および複数の表示装置の構成を示すブロック図である。この第１３の実施形態において、上述の第１２の実施形態と同様である部分については説明を省略し、主として異なる点についてのみ説明する。
【０１８１】
第１３の実施形態においては、１つの撮像装置に対して、表示装置１、表示装置２および表示装置３の複数の表示装置が伝送路によって接続されているものである。
【０１８２】
この第１３の実施形態において、制御信号出力手段１６は、制御信号生成手段１５により生成された制御信号に自己の表示装置の識別情報としてのアドレス情報を付加し、この制御信号を撮像装置に出力するよう構成されている。
【０１８３】
また、表示装置のアドレス情報を含んだ制御信号が入力されるシステムコントローラ１０は、この表示装置のアドレス情報を画像データ出力手段１３に出力するよう構成されている。さらに、画像データ出力手段１３は、システムコントローラ１０から出力されたアドレス情報を固体撮像素子１から読み出された画像データに付加して出力するよう構成されている。
【０１８４】
次に、このような第１３の実施形態の作用を説明する。
【０１８５】
まず、撮像装置側は各表示装置側とアクセス可能な状態になされ、各表示装置側からの制御信号待ちの状態になる。そして、例えば、表示装置１が操作部１４によりアクセス可能な状態になされると、制御信号生成手段１５にて間引き読み出しを行うための制御信号が生成され、制御信号出力手段１６に出力される。この制御信号出力手段１６では、生成された制御信号に自己の表示装置１のアドレス情報を付加し、伝送路を介して撮像装置に出力する。なお、制御信号出力手段１６において、上記制御信号を出力する際、撮像装置のアドレス情報を付加していることはいうまでもない。
【０１８６】
表示装置１から出力された制御信号は、制御信号入力手段１２を介してシステムコントローラ１０に入力される。システムコントローラ１０は、画像データ出力手段１３に付加された表示装置１のアドレス情報を出力し、さらに、駆動信号切換手段７を制御して、この駆動信号切換手段７に入力される駆動信号を、間引き走査駆動信号発生手段５側に切り換える。間引き走査駆動信号により固体撮像素子１から出力される画像データは、画像データ出力手段１３にて表示装置１のアドレス情報が付加されて、撮像装置から出力される。
【０１８７】
この画像データは、アドレス情報に基づいて表示装置１の画像データ入力手段１７に入力され、メモリ手段８に記憶された後、このメモリ手段８から読み出されて表示手段９にて間引き読み出しによる全体像が表示される。そして、表示装置１にて次の操作が行われる、乃至は、他の表示装置である表示装置２，３でアクセス可能な状態になされるまでは、固体撮像素子１から間引き読み出しが行われ、動画表示される。
【０１８８】
続いて、表示装置２において、操作部１４によりアクセス可能な状態になされると、上述した表示装置１と同様に、表示装置２では、制御信号に自己の表示装置２のアドレス情報を付加して、この制御信号を撮像装置に出力し、撮像装置では、同様に間引き読み出しを行い、読み出された画像データに表示装置２のアドレス情報を付加して出力する。
【０１８９】
この時点で、表示装置１および表示装置２にて間引き読み出しが行われているので、撮像装置では、システムコントローラ１０により固体撮像素子１から間引き読み出しされた１フレーム毎の画像データを表示装置１と表示装置２に交互に出力して、各表示装置の画像表示を更新する。
【０１９０】
そして、表示装置３において、操作部１４によりアクセス可能な状態になされた場合でも、同様に、表示装置３にて間引き読み出しによる全体像の表示が行われる。そして、各表示装置にてブロック読み出しの操作が行われるまで、撮像装置では、システムコントローラ１０により固体撮像素子１から間引き読み出しされた１フレーム毎の画像データを表示装置１、表示装置２、そして表示装置３と順次繰り返して出力し、各表示装置の画像表示を更新する。
【０１９１】
この状態で、表示装置１の操作部１４によりブロック読み出しの操作が行われた場合は、同様に、表示装置１では、ブロック読み出しを行うための制御信号に自己の表示装置１のアドレス情報を付加して、この制御信号を撮像装置に出力し、撮像装置では、指定された部分撮像領域のブロック読み出しを行い、読み出された画像データに表示装置１のアドレス情報を付加して出力する。
【０１９２】
画像データは、表示装置１のメモリ手段８に記憶され、自己の表示装置１にて次の操作が行われるまで、このメモリ手段８から読み出された画像データが表示手段９にて静止画表示される。つまり、間引き読み出しによる全体像の表示の場合は、表示装置に表示するための画像が更新され、動画表示が行われ、ブロック読み出しによる部分撮像領域の表示の場合は、画像は更新されず、最初に読み出された画像の静止画表示が行われる。
【０１９３】
なお、上述した第１３の実施形態では、撮像装置は各表示装置からの制御信号を受けて、この制御信号に応じた画像データを表示装置に伝送するよう構成されているが、撮像装置側において、表示装置１、表示装置２、そして表示装置３の順に時分割で各表示装置を監視し、制御信号が生成されていれば、この制御信号に応じた画像データを伝送するよう構成してもよい。このように構成する場合、使用される表示装置が何台あるかを撮像装置側で認識する必要があるため、例えば、表示装置がアクセス可能な状態になされたときに表示装置側から使用する旨の信号を撮像装置側に伝送するよう構成する必要がある。
【０１９４】
また、第１３の実施形態では、１つの撮像装置に対して、複数の表示装置が伝送路によって接続されているが、表示装置は制御信号に撮像装置のアドレス情報を付加して出力しているため、複数の撮像装置を接続してもよい。
【０１９５】
図１０は、上述した第１３の実施形態の具体例を示すものであり、撮像表示システムを用いた遠隔教室を示す図である。
【０１９６】
図１０において、撮像装置としてのカメラ３１とこのカメラ３１とケーブルにより接続されたパソコン３２とが設けられ、伝送路を介して、表示装置１としてのパソコン３３，表示装置２としてのパソコン３４および表示装置３としてのパソコン３５が設けられている。
【０１９７】
撮像装置側では、カメラ３１により、撮像対象である黒板や机の上に置かれた物体、そして先生を撮像して、授業風景を得る。表示装置側では、生徒は授業を受けるために各表示装置としてのパソコン３３，３４，３５を撮像装置側とアクセス可能な状態にする。これにより、上述したように各パソコンにてアドレス読み出しによる授業風景の全体像の表示が行われる。そして、各パソコンにおいて、生徒が操作部１４としてのキーボードやマウスを操作することによりそれぞれ所望の画像を表示することができる。
【０１９８】
図１０において、表示装置１としてのパソコン３３は、全体像を表示した状態を示し、表示装置２としてのパソコン３４は、黒板を拡大表示した状態を示し、表示装置３としてのパソコン３５は、机の上の物体を拡大表示した状態を示している。
【０１９９】
上述の操作方法について、図１１（ａ）〜（ｃ）を参照して説明する。図１１（ａ）〜（ｃ）は、表示装置としてのパソコンの画面を示す図である。
【０２００】
図１１（ａ）は、間引き読み出しによる全体像の表示画面で、上述したようにパソコン３３，３４．３５を撮像装置側とアクセス可能な状態にすることにより得られる。画面の下方には、操作用のアイコン付きのボタンが並べられており、左側から、間引き読み出し操作ボタン４１、ブロック読み出し操作ボタン４２、上下左右の４つのボタンからなる指定エリア移動ボタン４３、実行ボタン４４が設けられている。
【０２０１】
この図１１（ａ）に示す全体像の表示からブロック読み出しにより拡大して見たい部分がある場合は、操作部１４としてのマウスにより、図示しないカーソルをブロック読み出し操作ボタン４２に合わせてクリックする。この操作により、図１１（ｂ）に示すように、全体像の表示画面上にブロック読み出しの指定エリア４５が現れる。この指定エリア４５は、全体像の表示画面の１６分の１の大きさに設定されている。
【０２０２】
指定エリア４５を拡大してみたい部分に移動するには、マウスによりカーソルを指定エリア移動ボタン４３の上下左右の各ボタンに合わせてクリックすることで、指定エリア４５がクリックした指定エリア移動ボタン４３の対応した方向に移動する。このようにして指定エリア４５を所望の位置に移動させて、マウスにより実行ボタン４４をクリックすることで、図１１（ｃ）に示すように、ブロック読み出しにより指定した部分が拡大表示される。
【０２０３】
ここで、間引き読み出しによる全体像が見たければ、マウスにより間引き読み出し操作ボタン４１をクリックし、実行ボタン４４をクリックすることで、図１１（ａ）に示す間引き読み出しによる全体像の表示画面に戻る。
【０２０４】
なお、指定エリア４５は、全体像の表示画面の１６分の１の大きさに設定されているが、このエリアの大きさを任意に変えられるよう構成してもよい。
【０２０５】
このような第１３の実施形態によれば、上述の第１２の実施形態と同様の効果を奏すると共に、複数の操作者が表示装置にて遠隔の同一対象物を同一撮像装置を用いて見ることができ、例えば、遠隔教室、遠隔会議、遠隔医療、遠隔販売、遠隔作業等に利用することができる。また、複数の操作者が同一視野範囲の画像を見ることができ、その視野範囲から所望の部分を拡大して見ることができるので、複数の操作者による遠隔作業において重要となるお互いの協調性（コラボレーション）を得ることができる。
【０２０６】
そして、例えば、顕微鏡に上述した撮像装置を装着することで、病理細胞を対象物として、顕微鏡ステージを移動することなくブロック読み出しによる所望部分の拡大画像を得ることができ、複数の観察者による同一サンプルの観察を行うこともできる。従って、遠隔地の複数の病理医師による遠隔病理診断（テレパソロジー）が可能となる。
【０２０７】
図１２から図１８は本発明の第１４の実施形態を示したものであり、図１２は撮像表示システムにおける撮像装置および表示装置の構成を示すブロック図である。この第１４の実施形態において、上述した各実施形態と同様である部分については説明を省略し、主として異なる点についてのみ説明する。
【０２０８】
この撮像装置は、被写体像をＸ−Ｙアドレス型の固体撮像素子１の撮像面に光学的に結像するための撮像レンズ５１と、該固体撮像素子１を含む上記撮像手段２と、上記固体撮像素子１を含む撮像手段２を制御して駆動する撮像素子駆動手段５２と、上記固体撮像素子１から出力される撮像信号に所定の処理を施して標準信号方式またはこれに準ずる信号として出力する撮像信号処理手段５３と、この撮像信号処理手段５３により処理された画像データを含む信号を表示装置に対して送信するための送信手段５４と、上記撮像素子駆動手段５２，撮像信号処理手段５３，送信手段５４を含むこの撮像装置全体の制御を行うシステムコントローラ１０とを有して構成されている。
【０２０９】
次に、表示装置は、上記撮像装置の送信手段５４から送信された画像データを含む信号を受信する受信手段５５と、この受信手段５５により受信した画像データを標準的な解像度で表示するモニタ等でなる標準信号用の第１の表示手段９ａと、上記受信手段５５により受信した画像データを標準信号方式で記録する記録手段５６と、上記受信手段５５により受信した画像データまたは上記記録手段５６に記録されている画像データに基づいて高精細画像を表示するための高精細信号を再構築する高精細信号処理手段５７と、この高精細信号処理手段５７により処理された高精細画像データを表示する高精細信号用の第２の表示手段９ｂとを有して構成されている。
【０２１０】
なお、上記撮像装置側の送信手段５４と表示装置側の受信手段５５との通信は、無線による通信手段や有線による通信手段など、各種の手段を用いることができる。
【０２１１】
また、上述した標準信号方式としては、図１８に示すようなものが例として挙げられる。
【０２１２】
すなわち、垂直方向のライン数が５２５ラインであって１秒間に送出するフィールド数が６０フィールドであるものとしては、モノクロのＥＩＡ方式、カラーのＮＴＳＣ方式があり、垂直方向のライン数が６２５ラインであって１秒間に送出するフィールド数が５０フィールドであるものとしては、モノクロのＣＣＩＲ方式、カラーのＰＡＬ方式またはＳＥＣＡＭ方式がある。
【０２１３】
次に、図１３から図１７を参照して、上記Ｘ−Ｙアドレス型の固体撮像素子１による画素の読み出しについて説明する。図１３は所定の読み出しサイクルにおいて最初に読み出す画素の位置を示す図、図１４は所定の読み出しサイクルにおいて２番目に読み出す画素の位置を示す図、図１５は所定の読み出しサイクルにおいて最後に読み出す画素の位置を示す図、図１６は所定の読み出しサイクルにおいて読み出す画素の順序と位置の対応関係を示す図、図１７は所定の読み出しサイクルにおいて読み出す画素の順序を示す図である。
【０２１４】
本実施形態においても、固体撮像素子１の全撮像領域の画素構成が、縦２０４８×横２０４８画素である場合を例にとって説明する。このような画素構成の固体撮像素子１において、上記標準信号方式の画素数に近づけるために、縦横それぞれに４画素に１画素の割合で間引いて読み出すことにして、縦（２０４８／４）×横（２０４８／４）画素＝縦５１２×横５１２画素としている。
【０２１５】
つまり、間引き率は１／１６であって、サイクルを構成する１フレームにおいては、固体撮像素子１の全撮像領域中の、縦４×横４＝１６画素毎に１画素を読み出すようになっている。逆に言えば、１６フレームにより１サイクルが構成されている。
【０２１６】
まず、読み出しの１フレーム目においては、図１３に示すように、縦４×横４画素中の最も左上の画素を読み出す。なお、最初に読み出す画素の位置は任意でも構わないが、便宜上、図示の位置を最初の読み出し位置としている。
【０２１７】
次に、読み出しの２フレーム目においては、図１４に示すように、上記図１３において読み出した画素の右隣の画素を読み出す。
【０２１８】
同様にして読み出す画素を右隣に移動しながら順次読み出し、縦４×横４画素の右端に到達したところで、図１７に示すように、次の段の左端に移動して同様にして読み出す。
【０２１９】
このようにして、１サイクルの最後である１６フレーム目においては、図１５に示すように、縦４×横４画素中の最も右下の画素を読み出す。
【０２２０】
すなわち、１サイクル、つまり１６フレームの画素読み出しが終了した段階では、図１６に示すように、縦４×横４画素の全てが満遍なく読み出され、つまり、固体撮像素子１の全画素が一通り読み出されたことになる。
【０２２１】
こうして読み出されて、撮像信号処理手段５３により所定の処理が施された画像データは、送信手段５４により送信される。
【０２２２】
これを受信手段５５により受信した表示装置は、標準信号方式またはこれに準ずる信号として出力し、第１の表示手段９ａにより標準的な解像度で表示し、あるいは記録手段５６に記録する。
【０２２３】
また、上記受信手段５５により受信した画像データ、または上記記録手段５６に記録しておいた画像データに基づいて、高精細画像を観察したい場合には、該受信手段５５の出力または記録手段５６の再生出力を高精細信号処理手段５７に入力して、この高精細信号処理手段５７において、上記１サイクルの信号、つまり１６フレーム分の画像データに基づいて、予め設定されている高精細画像再構築用の情報に基づき、縦２０４８×横２０４８画素の高精細の信号を構成し、第２の表示手段９ｂにより表示する。
【０２２４】
なお、高精細画像を再構築する際に、縦２０４８×横２０４８画素の精細さは不要である場合には、例えば１フレーム目，３フレーム目，９フレーム目，１１フレーム目の画像に基づいて、縦１０２４×横１０２４画素の高精細画像を再構築することも可能である。
【０２２５】
このような第１４の実施形態によれば、標準信号方式またはこれに準ずる方式で送信された複数フレームの画像データに基づいて、高精細画像を再構築して被写体を子細に観察することが可能になる。また、標準信号方式等で記録手段に記録した複数フレームの画像データに基づいて、高精細画像を再構築することも可能である。
【０２２６】
このように特別な方式を用いて画像データを送信する必要がないために、通常時は高いフレームレートで被写体を観察しあるいは記録することができるとともに、必要に応じて比較的簡単な回路構成により高精細画像を再構築して観察することができる。
【０２２７】
図１９，図２０は本発明の第１５の実施形態を示したものであり、図１９は撮像表示システムにおける撮像装置および表示装置の構成を示すブロック図である。この第１５の実施形態において、上述した各実施形態と同様である部分については説明を省略し、主として異なる点についてのみ説明する。
【０２２８】
本実施形態の撮像表示システムの構成は、上述した第１４の実施形態とほぼ同様であるが、撮像素子駆動手段５２により固体撮像素子１の駆動を行う際に、どのような画素構成においてどのような順序で画素を読み出したか等についてのインデックス情報を、送信手段５４と受信手段５５を介して、表示装置の高精細信号処理手段５７に送るようにしたものである。このインデックス情報は、標準信号方式等で送信される信号の空き領域、例えば垂直ブランキング領域に重畳させて送出するようにすると良い。
【０２２９】
上記インデックス情報に含まれる情報としては、例えば固体撮像素子１の全撮像領域の画素構成（つまり、全体の画素数など）、画素の読み出し順序の配列、間引き率（上述の場合には、縦方向および横方向ともに４画素に１画素の割合で間引かれるために、１／１６の間引き率となる。）、読み出しの１サイクルが何フレームで構成されるか（上述の場合には１６フレームで構成される）、上記１サイクルにおけるフレーム番号（現フレームが１サイクル中の何フレーム目であるか）などである。
【０２３０】
表示装置においては、上記受信手段５５を介して高精細信号処理手段５７が上記インデックス情報を受け取って、該インデックス情報に基づいて高精細画像を再構築するようになっている。こうして、読み出し順序を必要に応じて可変とした場合にも、インデックス情報が表示装置側に入力されるために、高精細信号処理手段５７は、高精細画像を適切に再構築することができる。
【０２３１】
なお、上記間引き率は、通常は縦方向および横方向ともに同一であることが望ましい（画像の歪み等が生じないようにするため）が、必要がある場合には、適宜変化させても良い。このような場合としては、例えば１画素の縦横比が正方でない場合などが考えられる。
【０２３２】
また、本実施形態においては、上記図１７に示したような読み出し順序の他に、図２０に示すような読み出し順序を採用している。図２０は所定の読み出しサイクルにおいて読み出す画素の順序を示す図である。
【０２３３】
この図に示す例は、１サイクルにおいて縦４×横４画素中の画素を順次読み出す際に、左右方向、または上下方向の何れか一方に１画素だけ移動しながら読み出すようにしたものであり、次に読み出す画素が必ず隣接した画素となるようにしたものである。さらに、１６番目に読み出す画素を、次のサイクルの１番目に読み出す画素に隣接させることにより、サイクル間の移行においても画素が隣接するようにしている。
【０２３４】
このような読み出し方法を用いることにより、標準信号方式等で表示するときのフレーム毎の画像が滑らかに変化するようになる。つまり、上記図１７に示したような例においては、１サイクル中の４番目のフレームから５番目のフレームに移行するときに画素位置の飛びが起こり、特に第１６番目のフレームから次のサイクルの第１番目のフレームに移行するときには、対角線方向に大きな飛びが起こっていたが、この図２０に示すような読み出し方法を用いれば、各フレーム同士の間に１画素以上の飛びが発生することはなく、滑らかな画像を観察することが可能となる。
【０２３５】
このような第１５の実施形態によれば、上述の第１の実施形態と同様の効果を奏するとともに、撮像装置から送出されるインデックス情報に基づいて、表示装置は高精細信号処理手段により高精細画像を再構築することができる。
【０２３６】
また、読み出し順序を工夫することにより、標準信号方式で表示するときに滑らかな画像を得ることができる。
【０２３７】
さらに、読み出し順序を必要に応じて可変とした場合にも、インデックス情報が表示装置側に入力されるために、高精細信号処理手段は高精細画像を適切に再構築することができる。
【０２３８】
図２１から図２４は本発明の第１６の実施形態を示したものであり、図２１は撮像表示システムにおける撮像装置および表示装置の構成を示すブロック図である。この第１６の実施形態において、上述した各実施形態と同様である部分については説明を省略し、主として異なる点についてのみ説明する。
【０２３９】
この実施形態は、上述の第１４または第１５の実施形態において説明した、高精細の画像を再構築することが可能なように１サイクル内で画素を順次ずらして読み出す第１のモードの他に、複数の画素の出力を加算して読み出す第２のモードを設けたものである。
【０２４０】
すなわち、表示装置には、モードを選択して指示入力するためのモード指定手段５８が設けられていて、その出力は、送受信手段５５Ａを介して撮像装置側に送出されるようになっている。
【０２４１】
一方、撮像装置には、上記表示装置の送受信手段５５Ａから送出されたモード情報を受信する手段を兼ねた送受信手段５４Ａが設けられていて、その出力はモード切換手段を兼ねたシステムコントローラ１０Ａに入力されるようになっている。
【０２４２】
そして、システムコントローラ１０Ａは、受信したモード情報に基づいて、撮像素子駆動手段５２により固体撮像素子１を駆動するモードを切り換えるようになっている。
【０２４３】
次に、図２２から図２４を参照して、上記第２のモードの例について説明する。図２２は隣接する複数の画素の出力を加算して読み出すモードの一例を説明するための図、図２３は隣接する複数の画素の出力を加算して読み出すモードの他の例を説明するための図、図２４は隣接する複数の画素の出力を加算して読み出すモードの更に他の例を説明するための図である。
【０２４４】
図２２に示す例は、縦４×横４画素当たりについて、互いに近接する左上の４画素（縦２×横２画素）を加算して出力するモードを示したものである。これによれば、１画素を出力する場合に比して４倍の出力が得られるために、被写体の輝度が低いなどの場合に、明るく見易い画像を得ることが可能になる。
【０２４５】
同様にして、図２３に示す例は、縦４×横４画素当たりについて、互いに近接する左上の９画素（縦３×横３画素）を加算して出力するモード、図２４に示す例は、縦４×横４画素について全ての画素を加算して出力するモードをそれぞれ示しており、これらのモードに設定することにより、さらに明るく見易い画像を得ることができる。
【０２４６】
このような第１６の実施形態によれば、上述した第１４，第１５の実施形態とほぼ同様の効果を奏するとともに、モードを切り換えることにより、高精細の画像を見たい場合や、明るい画像を見たい場合に、適切な設定を選択することができる。しかも、モードの切り換えを表示装置側のモード指定手段によって行うようにしたために、操作性が良いという利点がある。
【０２４７】
【発明の効果】
以上説明したように請求項１による本発明の撮像表示システムによれば、撮像装置側にメモリ手段を備える必要がないために、撮像装置の小型化およびコストダウン化を図ることができる。また、全撮像領域中の一部の領域をブロック走査駆動することにより、不要な部分を読み出す時間がないために高速な処理を行うことができ、表示装置へ伝送する画像情報の情報量を少なくすることができる。さらに、全撮像領域を間引き走査することにより、表示装置へ伝送する画像情報の情報量を少なくすることができ、おおよその全体像の情報を短時間で伝送することが可能である。
【０２４８】
請求項２による本発明の撮像表示システムによれば、請求項１に記載の発明と同様の効果を奏するとともに、ブロックメモリ手段と間引きメモリ手段を必要に応じて使い分けることにより、最適な画像を表示することができる。
【０２４９】
請求項３による本発明の撮像表示システムによれば、撮像装置側にメモリ手段を備える必要がないために、撮像装置の小型化およびコストダウン化を図ることができる。また、全撮像領域中の一部の領域をブロック走査駆動することにより、不要な部分を読み出す時間がないために高速な処理を行うことができ、表示装置へ伝送する画像情報の情報量を少なくすることができる。さらに、全撮像領域を全画素走査することにより、高精細な全体像の情報を伝送することが可能である。そして、ブロックメモリ手段と全画素メモリ手段を必要に応じて使い分けることにより、最適な画像を表示することができる。
【０２５０】
請求項４による本発明の撮像表示システムによれば、撮像装置側にメモリ手段を備える必要がないために、撮像装置の小型化およびコストダウン化を図ることができる。また、全撮像領域を全画素走査することにより、高精細な全体像の情報を伝送することが可能である。さらに、全撮像領域を間引き走査することにより、表示装置へ伝送する画像情報の情報量を少なくすることができ、おおよその全体像の情報を短時間で伝送することが可能である。
【０２５１】
請求項５による本発明の撮像表示システムによれば、請求項４に記載の発明と同様の効果を奏するとともに、全画素メモリ手段と間引きメモリ手段を必要に応じて使い分けることにより、最適な画像を表示することができる。
【０２５２】
請求項６による本発明の撮像表示システムによれば、撮像装置側にメモリ手段を備える必要がないために、撮像装置の小型化およびコストダウン化を図ることができる。また、全撮像領域中の一部の領域をブロック走査駆動することにより、不要な部分を読み出す時間がないために高速な処理を行うことができ、表示装置へ伝送する画像情報の情報量を少なくすることができる。さらに、全撮像領域を全画素走査することにより、高精細な全体像の情報を伝送することが可能である。そして、全撮像領域を間引き走査することにより、表示装置へ伝送する画像情報の情報量を少なくすることができ、おおよその全体像の情報を短時間で伝送することが可能である。
【０２５３】
請求項７による本発明の撮像表示システムによれば、請求項６に記載の発明と同様の効果を奏するとともに、ブロック・全画素メモリ手段と間引きメモリ手段を必要に応じて使い分けることにより、最適な画像を表示することができる。
【０２５４】
請求項８による本発明の撮像表示システムによれば、請求項１，３，６に記載の発明と同様の効果を奏するとともに、特定手段の出力に基づいて駆動信号切換手段を制御するために、制御の自動化を行うことができしかも適切な制御となる。
【０２５５】
請求項９による本発明の撮像表示システムによれば、請求項１，３，４，６，８に記載の発明と同様の効果を奏するとともに、動きを検出することにより全撮像領域中の一部の領域を特定するために、被写体の動きに有効に対応することができる。
【０２５６】
請求項１０による本発明の撮像表示システムによれば、請求項１，３，４，６，８に記載の発明と同様の効果を奏するとともに、操作者が全撮像領域中の一部の領域を任意に特定するために、操作者の意思を有効に反映することができる。
【０２５７】
請求項１１による本発明の撮像表示システムによれば、請求項１乃至９に記載の発明と同様の効果を奏するとともに、固体撮像素子の全撮像領域の内の使用する領域を設定することができるために、より処理が効率的となる。
【０２５８】
請求項１２による本発明の撮像表示システムによれば、表示装置側の操作により撮像装置の固体撮像素子からの読み出しを制御することができるため、操作者は表示装置にて所望の画像を得ることができる。また、撮像装置側にメモリ手段を備える必要がないために、撮像装置の小型化およびコストダウン化を図ることができる。さらに、全撮像領域中の一部の領域をブロック走査駆動することにより、不要な部分を読み出す時間がないために高速な処理を行うことができ、表示装置へ伝送する画像情報の情報量を少なくすることができる。また、全撮像領域を間引き走査することにより、表示装置へ伝送する画像情報の情報量を少なくすることができ、おおよその全体像の情報を短時間で伝送することが可能である。
【０２５９】
請求項１３による本発明の撮像表示システムによれば、請求項１２に記載の発明と同様の効果を奏するとともに、表示装置側にて操作者が全撮像領域中の一部の領域を任意に指定することができるために、操作者の意思を有効に反映することができる。
【０２６０】
請求項１４による本発明の撮像表示システムによれば、請求項１２に記載の発明と同様の効果を奏するとともに、各表示装置側にて複数の操作者が遠隔の同一対象物を見ることができ、例えば、遠隔教室、遠隔販売等に利用することができる。
【０２６１】
請求項１５による本発明の撮像表示システムによれば、高精細な画像を再構築可能な画像情報を表示装置に対して送信することができる。
【０２６２】
請求項１６による本発明の撮像表示システムによれば、高精細な画像を再構築可能な画像情報を撮像装置により撮像して送信し、これを受信した表示装置において再構築して表示することが可能となる。
【０２６３】
請求項１７による本発明の撮像表示システムによれば、請求項１５または１６に記載の発明と同様の効果を奏するとともに、高精細な画像を観察可能な状態と、明るい画像を観察可能な状態とを、必要に応じて選択することができる。
【０２６４】
請求項１８による本発明の撮像表示システムによれば、請求項１７に記載の発明と同様の効果を奏するとともに、表示装置側でモードを指定することができるために、操作性が良い。
【０２６５】
請求項１９による本発明の撮像表示システムによれば、請求項１５または１６に記載の発明と同様の効果を奏するとともに、汎用の送信手段、受信手段や表示手段を用いることが可能となり、安価に構成することができる。
【０２６６】
請求項２０による本発明の撮像表示システムによれば、請求項１５または１６に記載の発明と同様の効果を奏するとともに、インデックス情報に基づいて高精細な画像を再構築することができるために、例えば特定の画像をシフトさせる順序を変更した場合にも、適切に対応することができる。
【０２６７】
請求項２１による本発明の撮像表示システムによれば、請求項２０に記載の発明と同様の効果を奏するとともに、インデックス情報を送信する構成を別途設ける必要がなく、構成を簡単にすることができる。
【０２６８】
請求項２２による本発明の撮像表示システムによれば、フレーム毎に読み出し画素位置を異ならせるようにしたために、複数フレームの画像データに基づいて高精細画像を再構築することが可能となる。
【図面の簡単な説明】
【図１】  本発明の第１または第２の実施形態の撮像表示システムにおける撮像装置および表示装置の構成を示すブロック図。
【図２】  上記第１の実施形態において、ＴＶ会議を行っている場合の固体撮像素子による全撮像領域の様子を示す図。
【図３】  本発明の第３または第４の実施形態の撮像表示システムにおける撮像装置および表示装置の構成を示すブロック図。
【図４】  本発明の第５の実施形態の撮像表示システムにおける撮像装置および表示装置の構成を示すブロック図。
【図５】  本発明の第６または第７の実施形態の撮像表示システムにおける撮像装置および表示装置の構成を示すブロック図。
【図６】  本発明の第８の実施形態の撮像表示システムにおける撮像装置および表示装置の構成を示すブロック図。
【図７】  本発明の第１１の実施形態の撮像表示システムにおける撮像装置および表示装置の構成を示すブロック図。
【図８】  本発明の第１２の実施形態の撮像表示システムにおける撮像装置および表示装置の構成を示すブロック図。
【図９】  本発明の第１３の実施形態の撮像表示システムにおける撮像装置および複数の表示装置の構成を示すブロック図。
【図１０】  上記第１３の実施形態の具体例を示すものであり、撮像表示システムを用いた遠隔教室を示す図。
【図１１】  上記第１３の実施形態の撮像表示システムにおける表示装置の画面を示す図。
【図１２】  本発明の第１４の実施形態の撮像表示システムにおける撮像装置および表示装置の構成を示すブロック図。
【図１３】  上記第１４の実施形態において、所定の読み出しサイクルにおいて最初に読み出す画素の位置を示す図。
【図１４】  上記第１４の実施形態において、所定の読み出しサイクルにおいて２番目に読み出す画素の位置を示す図。
【図１５】  上記第１４の実施形態において、所定の読み出しサイクルにおいて最後に読み出す画素の位置を示す図。
【図１６】  上記第１４の実施形態において、所定の読み出しサイクルにおいて読み出す画素の順序と位置の対応関係を示す図。
【図１７】  上記第１４の実施形態において、所定の読み出しサイクルにおいて読み出す画素の順序を示す図。
【図１８】  上記第１４の実施形態において、標準信号方式の例を示す図表。
【図１９】  本発明の第１５の実施形態の撮像表示システムにおける撮像装置および表示装置の構成を示すブロック図。
【図２０】  上記第１５の実施形態において、所定の読み出しサイクルにおいて読み出す画素の順序を示す図。
【図２１】  本発明の第１６の実施形態の撮像表示システムにおける撮像装置および表示装置の構成を示すブロック図。
【図２２】  上記第１６の実施形態において、隣接する複数の画素の出力を加算して読み出すモードの一例を説明するための図。
【図２３】  上記第１６の実施形態において、隣接する複数の画素の出力を加算して読み出すモードの他の例を説明するための図。
【図２４】  上記第１６の実施形態において、隣接する複数の画素の出力を加算して読み出すモードの更に他の例を説明するための図。
【符号の説明】
１…固体撮像素子（Ｘ−Ｙアドレス型の固体撮像素子）
２…撮像手段
３…動き検出手段（特定手段）
４…全画素走査駆動信号発生手段
５…ブロック走査駆動信号発生手段
６…間引き走査駆動信号発生手段
７…駆動信号切換手段
８…メモリ手段
８ａ…第１のメモリ手段（間引きメモリ手段）
８ｂ…第２のメモリ手段（ブロックメモリ手段）
９…表示手段
９ａ…第１の表示手段
９ｂ…第２の表示手段
１０…システムコントローラ
１０Ａ…システムコントローラ（モード切換手段）
１１…メモリ選択手段
１２…制御信号入力手段
１３…画像データ出力手段
１４…操作部
１５…制御信号生成手段
１６…制御信号出力手段
１７…画像データ入力手段
５２…撮像素子駆動手段
５４…送信手段
５４Ａ，５５Ａ…送受信手段
５５…受信手段
５６…記録手段
５７…高精細信号処理手段（信号処理手段）
５８…モード指定手段
【図１】
0004229481.tif 000002
【図２】
0004229481.tif 000003
【図３】
0004229481.tif 000004
【図４】
0004229481.tif 000005
【図５】
0004229481.tif 000006
【図６】
0004229481.tif 000007
【図７】
0004229481.tif 000008
【図８】
0004229481.tif 000009
【図９】
0004229481.tif 000010
【図１０】
0004229481.tif 000011
【図１１】
0004229481.tif 000012
【図１２】
0004229481.tif 000013
【図１３】
0004229481.tif 000014
【図１４】
0004229481.tif 000015
【図１５】
0004229481.tif 000016
【図１６】
0004229481.tif 000017
【図１７】
0004229481.tif 000018
【図１８】
0004229481.tif 000019
【図１９】
0004229481.tif 000020
【図２０】
0004229481.tif 000021
【図２１】
0004229481.tif 000022
【図２２】
0004229481.tif 000023
【図２３】
0004229481.tif 000024
【図２４】
0004229481.tif 000025